(57)【要約】【課題】照明装置の外形を大きくすることなく、天井等の設置部に取り付けるための取付部材を設ける空間を形成することが可能となる照明装置を提供する。【解決手段】ＬＥＤモジュール９と、ＬＥＤモジュール９からの光を導光して出射する多角形の導光板４と、導光板４の周縁に沿って配置され、導光板４を保持する枠部材２を備える照明装置であって、照明装置１００を設置部に取り付けるための取付部材３を備え、導光板４は、周縁の角部に切欠部４１が形成されてあり、取付部材３は、枠部材２内の切欠部４１に対向する位置に設けられていることを特徴とする。【選択図】図７
2014167850.tif 000002
【特許請求の範囲】
【請求項１】
光源と、
前記光源からの光を導光して出射する多角形の導光板と、
前記導光板の周縁に沿って配置され、前記導光板を保持する枠部材を備える照明装置であって、
前記照明装置を設置部に取り付けるための取付部材を備え、
前記導光板は、前記周縁の角部に切欠部が形成されてあり、
前記取付部材は、前記枠部材内の前記切欠部に対向する位置に設けられていることを特徴とする照明装置。
【請求項２】
前記枠部材は、複数の枠板を連結して構成されてあり、
前記取付部材は、隣接する一対の前記枠板の端部の間に介在し、該一対の枠板を接合することを特徴とする請求項１に記載の照明装置。
【請求項３】
前記枠板は、前記取付部材を挿入する被挿入部を有し、
前記取付部材は、前記被挿入部に挿入される板状の挿入部を有し、
前記挿入部は、前記枠板の側壁部に略平行をなすように前記被挿入部に挿入されていることを特徴とする請求項２に記載の照明装置。
【請求項４】
前記枠板を前記取付部材に固定する固定部材を備え、
前記枠板は、前記固定部材が挿通および締結される挿通部を有し、
前記取付部材は、前記挿通部を通過した前記固定部材が当接する位置に凹部を有し、
前記固定部材は、前記挿通部への締結とともに前記凹部を前記枠板の内側方向に押圧することを特徴とする請求項２または３に記載の照明装置。
【請求項５】
前記導光板を保持する保持部材を備え、
前記保持部材は、前記枠部材の下面部に支持されるとともに、前記枠部材の上端部の開口から着脱可能であることを特徴とする請求項１から４のいずれか以降に記載の照明装置。
【発明の詳細な説明】
【技術分野】
【０００１】
本発明は、導光板を備える照明装置に関し、特に天井等の設置部に取り付けて使用する照明装置に関するものである。
【背景技術】
【０００２】
従来、発光ダイオード（ＬＥＤ；Ｌｉｇｈｔ Ｅｍｉｔｔｉｎｇ Ｄｉｏｄｅ）等の半導体発光素子からなる光源と、光源から出射される光を導光して発光する導光板とを備えた照明装置が用いられている。
【０００３】
例えば、特許文献１には、ＬＥＤ素子と四角形の導光板と枠体を備えた角型ＬＥＤシーリングライトが開示されている。
【０００４】
特許文献１に記載の角形ＬＥＤシーリングライトの裏面には、連結具が連結され、天井に固定した連結具と該連結具とを連結して、角形ＬＥＤシーリングライトを天井に固定するようになっている。
【先行技術文献】
【特許文献】
【０００５】
【特許文献１】実用新案登録第３１７５２１９号公報
【発明の概要】
【発明が解決しようとする課題】
【０００６】
しかしながら、特許文献１に記載のＬＥＤシーリングライトのように、照明装置の裏面に天井に固定するための連結具等の取付部材を有する照明装置の場合、天井と照明装置の裏面との間に上記取付部材を設ける空間が必要となり、使用者から見て照明装置が厚く感じられる外形となる。
【０００７】
また、特許文献１に記載のＬＥＤシーリングライトの場合、上記取付部材を、照明装置の外周部分、つまり導光板の周縁部分に設けられた枠体内部に設けると、発光面を形成する導光板の周縁と枠体との間に取付部材を設ける空間が必要となり、該空間を設けるために枠体の幅を大きくする必要が生じるため、照明器具の外形が不必要に大きくなってしまう。
【０００８】
また、天井への設置条件によっては、設置可能な照明装置全体の大きさが予め規定されている場合がある。この場合、照明装置の外周部分に取付部材を設ける空間を形成し、枠体の幅を大きくする分、導光板を小さくしなければならず、その結果照明装置の発光面積を狭くせざるを得ないという問題も生じる。
【０００９】
本発明は、上記の問題に鑑みてなされたものであり、照明装置の外形を大きくすることなく、天井等の設置部に取り付けるための取付部材を設ける空間を形成することができる照明装置を提供することを目的とする。
【課題を解決するための手段】
【００１０】
本発明は、光源と、前記光源からの光を導光して出射する多角形の導光板と、前記導光板の周縁に沿って配置され、前記導光板を保持する枠部材を備える照明装置であって、前記照明装置を設置部に取り付けるための取付部材を備え、前記導光板は、前記周縁の角部に切欠部が形成されてあり、前記取付部材は、前記枠部材内の前記切欠部に対向する位置に設けられていることを特徴とする。
【００１１】
また、本発明は、前記枠部材は、複数の枠板を連結して構成されてあり、前記取付部材は、隣接する一対の前記枠板の端部の間に介在し、該一対の枠板を接合することを特徴とする。
【００１２】
また、本発明は、前記枠板は、前記取付部材を挿入する被挿入部を有し、前記取付部材は、前記被挿入部に挿入する板状の挿入部を有し、前記挿入部は、前記枠板の側壁部に略平行をなすように前記被挿入部に挿入されることを特徴とする。
【００１３】
また、本発明は、前記枠板を前記取付部材に固定する固定部材を備え、前記枠板は、前記固定部材が挿通および締結される挿通部を有し、前記取付部材は、前記挿通部を通過した前記固定部材が当接する位置に凹部を有し、前記固定部材は、前記挿通部への締結とともに前記凹部を前記枠板の内側方向に押圧することを特徴とする。
【００１４】
また、本発明は、前記導光板を保持する保持部材を備え、前記保持部材は、前記枠部材の下面部に支持されるとともに、前記枠部材の上端部の開口から着脱可能であることを特徴とする。
【発明の効果】
【００１５】
本発明によれば、照明装置の外形を大きくすることなく、天井等の設置部に取り付けるための取付部材を設ける空間を形成することが可能となる。
【図面の簡単な説明】
【００１６】
【図１】本発明の第１の実施形態に係る照明装置の下方向から見た平面図である。
【図２】図１に示す照明装置の分解斜視図である。
【図３】設置部に取り付けられた図１に示す照明装置の縦断面図である。
【図４】図３に示す断面図の要部拡大図である。
【図５】図２に示す枠板の上方向から見た斜視図である
【図６】図２に示す取付部材の上方向から見た斜視図である。
【図７】図２に示す枠部材および取付部材の上方向から見た分解斜視図の要部拡大図である。
【図８】図１に示す枠板および取付部材の固定方法を説明する縦断面図である。
【図９】図１に示す照明装置および支持板の上方向から見た斜視図である。
【図１０】図１に示す照明装置の設置部への取付方法を説明するための斜視図である。
【図１１】本発明の第２の実施形態に係る照明装置の下方から見た斜視図である。
【図１２】図１１に示す照明装置の枠部材および取付部材の上方向から見た分解斜視図の要部拡大図である。
【発明を実施するための形態】
【００１７】
（第１の実施形態）
本発明の第１の実施形態について説明する。本実施形態では、一例として天井等の設置部に設けられている造営材に取り付けることで設置部への取り付けが可能な、いわゆる天井直付け形の照明装置に適用する場合について説明する。なお、本発明の照明装置が取り付けられる設置部としては天井に限らず、壁や、レール状の設置部であってもよい。また、照明装置の取付方法は設置部への直付けに限らず、設置部に設けられた開口等に埋め込んで取り付ける方法であってもよい。
【００１８】
図１は、本実施形態に係る照明装置１００の外観を示す下方向（床等の照射面側）から見た平面図である。また、図２は図１に示す照明装置１００の分解斜視図である。図３は、設置部に取り付けられた状態の照明装置１００の縦断面図である。図４は、図３の断面図の要部拡大図である。図５は、上方向（設置部側）から見た枠板２１の斜視図である。図６は、取付部材３の上方向から見た斜視図である。図７は、枠部材２および取付部材３の上方向から見た分解斜視図の要部拡大図である。図８は、枠板２１および取付部材３の固定方法を説明する縦断面図である。図９は、照明装置１００および支持板１０の上方向から見た斜視図である。図１０は、照明装置１００の設置部への取付方法を説明するための斜視図である。
【００１９】
図１および図２に示すように、照明装置１００は、係止板１、枠部材２、取付部材３、導光板４、導光板カバー５、反射板６、拡散板７、スペーサ８および光源としてのＬＥＤモジュール９を備えている。
【００２０】
照明装置１００は、図１に示すように、平面視において外形が矩形をなしたいわゆるスクウェア型の照明装置であり、導光板４に導光したＬＥＤモジュール９の光を拡散板７がなす発光面から照射して室内の照明を行う。本実施形態１の照明装置１００は、平面視において矩形、具体的には略正方形をなしているが、本発明の照明装置の外形は、矩形に限らず、三角形や五角形等の他の多角形状であってもよい。
【００２１】
図２に示す導光板４は平面視において外形が略正方形状をなす矩形の板状部材であり、周縁における４個所の角部、つまり矩形の各頂点の位置に後述の切欠部４１が形成されている。従って、導光板４の外形は厳密には略八角形状をなしている。また、導光板４は、アクリル等の透明な光を内部に導光することが可能な樹脂材料で形成されている。なお、導光板４を形成する材料はアクリルに限定されず、ポリカーボネートやガラス等の他の材料であってもよい。また、導光板４の外形は、多角形であればよく、本実施形態のような四角形に限定されない。
【００２２】
導光板４について図２および図３に基づき詳細に説明する。図３は、図１に示す一点鎖線Ａ−Ａで照明装置１００を鉛直方向に切った縦断面図である。なお、一点鎖線Ａ−Ａは後述する取付孔２ａを通り、かつ照明装置１００の側面に平行な直線である。
【００２３】
導光板４は、切欠部４１、四角形の導光板４の周縁四辺に位置する側面４２、導光した光を出射する出射面４３および出射面４３に対向する底面４４を有する。切欠部４１は、四角形の導光板４の周囲方向で隣接する側面４２，４２の間に設けられている。切欠部４１は、導光板４の外形である四角形の頂点の三角形の部分、つまり多角形の角部が切り欠かれた形状を有し、切欠部４１の両端に位置する側面４２に対して傾斜した面である。
【００２４】
本実施形態では、切欠部４１は導光板４の４個所の頂点の全てに形成されているが、導光板４の複数の頂点のうち一部に形成してもよい。また、切欠部４１の形状は、平面視において略直線状、つまり平面状に切り欠かれているが、特にこれに限定されず曲面状等に切り欠かれた形状であってもよい。また、切欠部４１は出射面４３に対して略垂直な平面であるが、出射面４３に対して傾斜していてもよい。
【００２５】
さらに、切欠部４１を設ける方法は、四角形の導光板を形成した後、後加工により導光板周縁の角部を切り欠いて形成してもよいし、予め上記角部が切り欠かれた形状の金型を用いて切欠部４１を有する導光板４を一度の加工で形成してもよい。要するに切欠部４１の形成方法は特に限定されない。
【００２６】
導光板４の外周面を形成する４個所の側面４２のうち、互いに対向する１対（２個所）の側面４２の正面には、図３に示すように、ＬＥＤモジュール９が配置される。したがって、ＬＥＤモジュール９が対向して配置される側面４２は、ＬＥＤモジュール９からの光が入射する入射面である。なお、ＬＥＤモジュール９が配置される入射面としての側面４２は４個所の側面４２のうちの２個所に限定されず、１個所または３個所以上であってもよい。
【００２７】
また、図２および図３に示すように、導光板４のＬＥＤモジュール９が対向配置されていない１対の側面４２，４２には、係止溝４２ａが側面４２の長手方向に沿って３個所、適長間隔を空けて形成されている。係止溝４２ａは、導光板４を後述する導光板カバー５に対して位置決めするためのネジ５４が係止される被係止部としての溝状の切り欠きである。係止溝４２ａは、導光板４２の出射面４３に垂直な方向に貫通しており、略半円柱形状をなす。係止溝４２ａは、ＬＥＤモジュール９が対向配置される側面４２側に設けてもよいが、ＬＥＤモジュール９が配置されない側面４２側に設ける方がＬＥＤモジュール９の配置位置がネジ５４により制約されない点で好ましい。なお、ネジ５４が係止される被係止部として、係止溝４２ａの代わりに貫通孔を導光板４に設けてもよい。
【００２８】
ＬＥＤモジュール９は、複数のＬＥＤ９１およびＬＥＤ９１を実装する長尺で矩形のＬＥＤ基板９２を有する。ＬＥＤ９１は、青色ＬＥＤチップを黄色蛍光体を含む樹脂でモールドしたいわゆる表面実装型ＬＥＤである。また、本発明の光源としては、ＬＥＤに限らずＥＬ（Ｅｌｅｃｔｒｏ Ｌｕｍｉｎｅｓｃｅｎｃｅ）や蛍光灯等他の光源を用いてもよい。
【００２９】
ＬＥＤ基板９２は、ガラスエポキシ樹脂製、セラミックス製またはアルミニウム製等の基板であり、複数のＬＥＤ９１が略等間隔に実装されている。ＬＥＤ基板９２の長手方向の寸法は側面４２の長手方向の寸法と略同等であり、ＬＥＤ基板９２の短手方向の寸法は後述する導光板カバー５の側面部５２の高さ方向の寸法より若干短い寸法である。なお、長手方向の寸法が側面４２よりも短いＬＥＤ基板９２を複数側面４２に対向して並設してもよい。
【００３０】
ＬＥＤ基板９２は、後述する導光板カバー５の側面部５２の内側の面に不図示のネジにより取り付けられており、この取付状態でＬＥＤ９１の光出射方向の中心軸である光軸が導光板４の側面４２の略中央部に対向するようになっている（図３参照）。これにより、ＬＥＤ９１から出射された光が効率良く側面４２から導光板４に入射し、導光板４内部に光を導光することが可能となる。
【００３１】
また、ＬＥＤモジュール９は、照明装置１００の外部に配置される不図示の電源装置と配線されている。ＬＥＤモジュール９に電力を供給する電源装置を照明装置１００と別置きにすることで照明装置１００内部に電源装置を配置するためのスペースを省略でき、照明装置１００の小型化に寄与する。なお、本発明においては、上記電源装置は照明装置１００の外部に配置する構成には限定されず、照明装置１００と一体化する構成、例えば、後述する導光板カバー５の底面部５１の裏側に配置する構成であってもよい。
【００３２】
枠部材２は、導光板４の周縁に沿って配置され、導光板４を保持する部材である。また枠部材２は、複数の長尺の板部材である枠板２１を連結して構成したものである。具体的には、図１および図２に示すように、４本の枠板２１の両端部を後述の取付部材３を介して連結することで構成された四角形の枠状部材である。枠部材２を構成する各枠板２１は、アルミニウム等の金属材料からなり、押出し加工により形成される。従って、枠板２１の長手方向に垂直な断面形状は、図４で示されるように略一定である。枠部材２を形成する材料は鉄や、アルミニウムまたはステンレス等の金属材料や合金であってもよいし、十分な強度を有するものであれば樹脂であってもよい。また、枠板２の形成方法も押出し加工に限定されず、ダイキャストや射出成型により形成してもよい。
【００３３】
枠板２１は、図４および図５に示すように、天井等の設置部側の上面を形成する上面部２２、床面等の照射面側の下面を形成する下面部２３、照明装置１００の外周面、つまり枠部材２の側面を形成する側壁部２４および下面部２３から枠板２１の内側方向に立設した立設部２５を有する。枠板２１を構成する上記各構成部材は押出し加工により一体的に形成されているが、それぞれ別々に形成して後加工により接続して枠板２１を構成してもよい。
【００３４】
上面部２２、下面部２３、側壁部２４および立設部２５は、図５に示すように、枠板２１の長手方向の寸法が互いに略同一な長尺の板部材である。上面部２２および下面部２３は、図４に示すように、側壁部２４の設置部側の一端部２４ａおよび照射面側の他端部２４ｂから側壁部２４と一体的に照明措置１の中央部方向に延設されてある。上面部２２および下面部２３は、側壁部２４に対して略垂直をなし、照明装置１００が取り付けられた状態において水平かつ互いに略平行をなして対向配置されている。また、上面部２２の側壁部２４に垂直な方向における幅寸法は、下面部２３の幅寸法よりも短い。なお、４本の枠板２１を連結して形成した枠部材２の上面部２２がなす矩形状の開口の面積は、後述の導光板カバー５の底面部５１の面積よりも広くなっており、上記開口から枠部材２に導光板カバー５を挿入することが可能である。
【００３５】
立設部２５は、側壁部２４の他端部２４ｂから適長離隔した位置において下面部２３の内側の面から略垂直方向に立設されており、側壁部２４と略平行かつ対向して配置されている。立設部２５の側面と側壁部２４との間には枠板２１の長手方向に延びる溝状の空間である被挿入部２６が形成されている。被挿入部２６は枠板２１の長手方向の両端部である縁辺２１ａ，２１ａ側から開口しており、上記縁辺２１ａ側の開口から後述する取付部材３が挿入される。また、立設部２５の上端部２５ａと上面部２２との間には後述する取付部材３の取付部３１が通過できる隙間が形成されている。
【００３６】
枠板２１の縁辺２１ａ，２１ａは、平面視において互いに線対称となるように長手方向に対して傾斜した形状、すなわちテーパー形状をなしている。従って、枠板２１は、図５に示すように細長い台形状をなす。そして、４本の枠板２１を互いに縁辺２１ａが対向し、かつ下面部２３が同一方向、つまり床面等の照射面側を向くように導光板４の周縁である側面４２に沿って配置され、枠部材２を形成する。
【００３７】
下面部２３の両端部である縁辺２１ａ側には、後述するローレットナット１０ｂを挿通する取付孔２ａの一部分としての切り欠きが形成されている。取付孔２ａは一対の枠板２１を取付部材３を介して接合したときに下面部２３の端部に形成される円形の貫通孔である（図１参照）。従って、取付孔２ａは枠部材２の隣接する１対の枠板２１の間、つまり枠部材２の角部に形成されるものである。なお、取付孔２ａは後述の取付部３１の貫通孔３１ｂの位置に対応し、貫通孔３１ｂと鉛直方向に連通している。
【００３８】
さらに、図５に示すように、上面部２２の両端部には、上面部２２を貫通する貫通孔２８が形成されている。貫通孔２８は、枠板２１を取付部材３に固定する固定部材としてのネジ２７を挿通する挿通部である。貫通孔２８は、上面部２２の両端部において、縁辺２１ａ，２１ａから適長離隔した位置に２個所ずつ、計４個所に設けられている。なお、貫通孔２８の位置は後述する取付部材３に設けられる凹部３２ｂの位置と略対応する。
【００３９】
取付部材３は、照明装置１００を天井等の設置部に取り付けるための部材であり、図６に示すように、平面視で略三角形の板状の取付部３１と、取付部３１の略直角な角部３１ａを挟む二辺に沿って取付部３１の面に対し略垂直方向に延設されている矩形板状の挿入部３２，３２とを有している。つまり挿入部３２，３２と取付部３１は互いに略垂直をなす。挿入部３２の長手方向は、取付部３１の角部３１ａを挟む二辺と同一方向である。また、挿入部３２の長手方向の寸法は取付部３１の角部３１ａを挟む二辺よりも長く、取付部３１の頂点３１ｃ，３１ｃから上記二辺に沿った方向に突出して設けられている。
【００４０】
換言すると、挿入部３２，３２は、略Ｌ字状をなすように一端部同士を接続して設けられており、挿入部３２，３２の一端部がなす角部の内側に取付部３１が配置されている。また、取付部３１は、挿入部３２，３２の一方の長辺３２ａ，３２ａに連続して設けられている。一対の長辺３２ａ，３２ａの幅方向、つまり挿入部３２，３２の板厚方向は互いに略垂直をなし、かつ取付部３１の面方向に平行である。
【００４１】
以上のように挿入部３２を構成することにより、挿入部３２を側壁部２４に対し略平行をなすように被挿入部２６に挿入することが可能となる。すなわち、挿入部３２，３２を導光板４の出射面４３に対し略垂直をなすように被挿入部２６に挿入することができる。
【００４２】
また、取付部３１には、後述するスタット１０ａが挿通する貫通孔３１ｂが設けられている。長辺３２ａの長手方向における角部３１ａと反対側の端部には、それぞれ長辺３２ａの長手方向に適長間隔を空けた２個所に凹部３２ｂ，３２ｂが設けられている。凹部３２ｂ，３２ｂは長辺３２ａが、三角形、あるいはくさび形に切り欠かれた形状をなす。凹部３２ｂ，３２ｂは挿入部３２を枠板２の被挿入部２６に挿入したときに貫通孔２８，２８の位置と略一致するように設けられており、貫通孔２８を通過した後述するネジ２７が当接する位置に設けられている。
【００４３】
本実形態の凹部３２ｂは左右が略対称な形状をなし、凹部３２ｂの底に向かうに従って幅が狭くなるような一対の傾斜面により形成されている。なお本発明の凹部は凹部３２ｂのような形状に限定されず、後述するネジ２７が当接して凹部を枠板の内側方向に押圧することができる形状であればよく、例えば左右非対称な形状の凹部であってもよい。
【００４４】
導光板カバー５は、導光板４を保持および保護するアルミニウムや鉄等の金属製の保持部材である。なお、導光板カバー５の材料は樹脂等でもよく特に限定されない。導光板カバー５は、図２および図３に示すように、略正方形状をなす底面部５１と、底面部５１の周縁から立設された側面部５２および角部５３を有する。底面部５１は、導光板４の出射面４３の外形に対応した形状であり、角部には切欠部４１に対応した形状の切り欠きを有している。
【００４５】
側面部５２および角部５３は、底面部５１の周縁から略垂直に立設されており、導光板カバー５の外周面を形成する。側面部５２および角部５３の高さ寸法は、図３および図４に示すように、導光板カバー５内部に配置される導光板４、反射板６、拡散板７およびスペーサ８を重ねた高さと略同等であり、これらの側面を覆うことができる高さである。側面部５２および角部５３の、底面部５１と反対側の端部は開口しており、上記端部側から導光板４、反射板６、拡散板７およびスペーサ８を内部に収容することができる。
【００４６】
図３および図４に示すように、導光板カバー５の内側には、底面部５１に近い側から順に、スペーサ８、反射板６、および拡散板７が底面部５１の垂直方向に沿って重ねて配置される。なお、スペーサ８、反射板６、導光板４および拡散板７を重ねて配置した部材の側面と側面部５２との間には、ＬＥＤモジュール９を配置するための空間が設けられている。ＬＥＤモジュール９は側面部５２と側面４２との間において、光出射方向が側面４２側かつ底面部５１に対し略平行方向を向くように配置される。ＬＥＤモジュール９は、前述のように導光板カバー５の側面部５２にねじ止めにより取り付けられている。導光板カバー５は、ＬＥＤモジュール９からの熱が伝導されて外部に放熱する放熱部としても機能する。
【００４７】
さらに、図３に示すように、導光板カバー５の底面部５１の端部、つまり縁辺の近傍には、貫通孔５１ａが形成されている。貫通孔５１ａは、底面部５１の互いに対向する一対の縁辺近傍において、側面部５２，５２の長手方向に沿って略等間隔の３個所にそれぞれ形成され、底面部５１に計６個所形成されている。
【００４８】
貫通孔５１ａは、導光板４を導光板カバー５の内側に配置させたときに係止溝４２ａの位置と対応する位置に設けられる。導光板４を導光板カバー５の内側に配置した状態で貫通孔５１ａおよび係止溝４２ａを挿通するネジ５４を取り付けることにより、導光板４が導光板カバー５に対して水平方向に関して位置決めされる。導光板４が導光板カバー５へ位置決めされた状態において、側面４２とＬＥＤモジュール９が取り付けられていない側面部５２との間にもわずかに隙間が設けられている。側面部５２との間に隙間を設けることにより、導光板４が熱膨張したとしても、導光板４が導光板カバー５を押圧することによる変形や破損または異音が生じることを防止することができる。なお、底面部５１の上面には後述の係止板１がネジ５４により取り付けられる。
【００４９】
スペーサ８は、外形が導光板４と略同一である板状部材である。スペーサ８はクッション性を有する樹脂製の緩衝部材である。スペーサ８は、高さ方向、つまり出射面４３に垂直な方向における導光板４の位置の調整をするために設けられる。スペーサ８により導光板４高さ方向の位置が決まり、側面４２の略中央部の位置にＬＥＤモジュール９のＬＥＤ９１を対向配置させることができる。また、照明装置１００の使用時のＬＥＤモジュール９の発熱に伴う導光板４の鉛直方向の熱膨張を、スペーサ８の変形により吸収することが可能である。
【００５０】
反射板６は、ＰＥＴ（Ｐｏｌｙｅｔｈｙｌｅｎｅ ｔｅｒｅｐｈｔｈａｌａｔｅ）等の樹脂製シートに光反射性の白色塗装が施されたものであり、導光板４に導光した光のうち、内部で反射して底面４３側から出射する光を出射面４３側に反射するものである。反射板６はスペーサ８と導光板４の底面４３の間に配置される。反射板６により、導光板４に導光した光のうち出射面４３から出射する光の割合を増加することができ、ＬＥＤモジュールの光の利用効率を向上させることが可能となる。
【００５１】
拡散板７は、光拡散材が分散されたポリカーボネートやアクリル等の光透過性樹脂材料で形成された板状部材である。拡散板７は、導光板４の出射面４３に対向し、出射面４３の略全面を覆うように配置されており、照明装置１００の発光面を形成する。拡散板７は、導光板４の出射面４３から出射された光を拡散することで、照明装置１００の配光を広げることができ、使用者が感じる眩しさ、いわゆるグレアを低減することができる。
【００５２】
図２に示すように、上記スペーサ８、反射板６および拡散版７は、多角形の頂点の位置に導光板４の切欠部４１の形状に対応した角部８１，６１，７１を有する。さらに、スペーサ８、反射板６、拡散板７の側面には、導光板４の係止溝４２ａの位置および形状に対応する切り欠き状の溝部８２，６２，７２が形成されている。そして、上記ネジ５４は貫通孔５１ａと係止溝４２ａおよび溝部８２，６２，７２を挿通し、重ねて配置されたスペーサ８、反射板６、導光板４および拡散版７をまとめて導光板カバー５に対して水平方向に位置決めする。なお、ネジ５４は貫通孔５１ａに締結される。
【００５３】
係止板１は、細長い板金であり、図１および図９に示すようにネジ５４が挿通され、導光板カバー５の貫通孔５１ａと同じ間隔で設けられた３個所の貫通孔１１が長手方向に沿って設けられている。係止板１はネジ５４により導光板カバー５の底面部５１の上面に取り付けられるものであり、導光板カバー５が枠部材２の上面部２２側の開口から抜けて外れないように保持するために、上面部２２の下面に係止するように設けられる。従って、図示していないが、係止板１は底面部５１に取り付けられた状態では側面部５２よりも水平方向外側に突出しており、この突出した部分が上面部２２に下方から係止する。
【００５４】
次に、照明装置１００の組み立て手順について図７および図８に基づき説明する。なお、図８は、枠板２１および取付部材３の固定方法を説明する縦断面図であり、具体的には図９に示す貫通孔２８，２８を通る一点鎖線Ｂ−Ｂで照明装置１００を鉛直方向に切った縦断面の要部拡大図である。
【００５５】
まず、４本の枠板２１からなる枠部材２を組み立てる。４個の取付部材３の挿入部３２，３２を、４本の枠板２１に対し被挿入部２６から図７の矢印で示す方向に挿入する。このとき、枠板２１の上面部２２が取付部材３の取付部３１側に位置するとともに、側壁部２４が枠部材２の外側に位置するように挿入部３２を被挿入部２６に挿入することで、４本の枠板２１の下面部２３が同一方向を向くように連結し、四角形の枠部材２を一旦仮止めして構成することができる。
【００５６】
次に、挿入部３２の凹部３２ｂと上面部２２の貫通孔２８を位置合わせした状態でネジ２７を貫通孔２８に対し挿通して締結する。図８（ａ）に示すように、挿入部３２を被挿入部２６の奥に押し込んで挿入し、かつネジ２７を締結していない状態では、凹部３２ｂの中心の位置は貫通孔２８の中心よりもわずかに縁辺２１ａ側にずれている。つまり凹部３２ｂは貫通孔２８よりも枠板２１の長手方向外側に位置がずれている。
【００５７】
貫通孔２８を通過したネジ２７は、凹部３２ｂに当接する。そして、図８（ｂ）に示すように凹部３２ｂに到達したネジ２７をさらにねじ込むことで、ネジ２７の先端部が凹部３２ｂの内面を図８（ｂ）の矢印方向、つまり枠板２２の長手方向に沿って内側に押圧し、取付部材３および枠板２１は貫通孔２８と凹部３２ｂの中心が一致する方向に相対的に移動する。
【００５８】
ネジ２７を貫通孔２８にねじ込むことで挿入部３２を被挿入部２６により深く挿入して取付部材３に対し力を加えながら枠板２１を確実に接続および固定することができる。すなわち、枠部材２の角部４個所において２本の枠板２１の縁辺２１ａ，２１ａ同士が当接するように取付部材３を介して連結され、取付部材３により枠板２１同士をがたつきが生じないように接合することができる。以上の手順により、枠部材２の組み立てが完了する。また、四角形状の枠部材２が組み立てられた状態において、枠部材２の角部４個所にローレットナット１０ｂを挿通する取付孔２ａが形成されており、取付孔２ａと貫通孔３１ｂが連通するように配置されている。
【００５９】
次に、スペーサ８、反射板６、導光板４および拡散板７を図３に示すように重ねて、スペーサ８側から導光板カバー５の内側に挿入して配置する。このとき、上述のように導光板４の係止溝４２ａと、溝部８２，６２，７２と、導光板カバー５の貫通孔５１ａとが互いに整合するように配置する。なお、導光板カバー５にはＬＥＤモジュール９が予め取り付けられている。
【００６０】
そして、導光板カバー５を、組み立てられた枠部材２の下面部２３の上に載置する。具体的には、導光板カバー５の側面部５２および角部５３の下端部が枠部材２の下面部２３の上に載置される。この状態で、導光板カバー５の周囲四方の側面部５２と枠部材２の立設部２５との間には、わずかなクリアランス、具体的には０．５ｍｍ程度の隙間が設けられている。上記隙間は、ＬＥＤモジュール９の発熱による導光板カバー５の熱膨張を吸収するためのものである。下面部２３により、導光板カバー５、スペーサ８、反射板６、導光板４および拡散板７が鉛直下方向において枠部材２に保持される。
【００６１】
また、導光板カバー５を下面部２３に載置した状態では、導光板カバー５の側面部５２と枠部材２の上面部２２との間にも隙間が生じており、導光板カバー５は枠部材２の上面部２２側、つまり上端部側の開口から着脱可能である。そこで、枠部材２の上面部２２の下面に係止する係止板１を底面部５１に取り付ける。具体的には、上面部２２と底面部５１との間に生じている隙間に係止板１を挿入し、係止板１が上面部２２と底面部５１との間に介在した状態で底面５１の貫通孔５１ａと貫通孔１１とを整合し、ネジ５４で締結する。このとき、ネジ５４は導光板４の係止溝４２ａおよび溝部８２，６２，７２に係止する。
【００６２】
これにより、スペーサ８、反射板６、導光板４および拡散板７が導光板カバー５に対して水平方向に位置決めされるとともに、係止板１により導光板カバー５、スペーサ８、反射板６、導光板４および拡散板７が鉛直上方向において枠部材２に位置決めおよび保持される。
【００６３】
以上のように、枠板２１の上面部２２、下面部２３および係止板１により上下方向、つまり鉛直方向に関して導光板カバー５、スペーサ８、反射板６、導光板４および拡散板７の保持および位置決めがなされている。従って、導光板カバー５は枠部材２に対して直接ネジ等の固定部材で固定されていないので、部品点数および組み立て工数の削減が可能である。さらに、枠部材２との間に隙間が存在するので、導光板カバー５の熱膨張が生じたとしても枠部材２との間で熱応力が生じにくくすることができ、導光板カバー５の熱膨張にともなう破損や異音を防止することが可能である。
【００６４】
また、スペーサ８、反射板６、導光板４および拡散板７は重ねて配置されネジ５４のみにより一括して導光板カバー５に固定されており、互いにネジや接着剤で固定されていないので組み立て工程を簡易にすることが可能である。
【００６５】
以上の手順により、照明装置１００の組み立てが完了する。なお、照明装置１００を組み立てた状態では、取付部材３の貫通孔３１ｂは天井等の設置部側に対し露出しており、後述のスタット１０ａを挿通することが可能になっている。
【００６６】
次に、照明装置１００を天井等の設置部に取り付ける手順について図９および図１０に基づき説明する。
【００６７】
設置部には、予め、例えば照明装置１００を設置部に取り付ける造営材としての支持板１０が取り付けられている。１台の照明装置１００に対し、２本の支持板１０を互い平行になるように設置部に取り付ける。支持板１０は、長尺の矩形板であり、両端部にはスタット１０ａが一体的に設けられている。スタット１０ａはネジ状の棒部材であり後述のローレットナット１０ｂを螺合して取り付けることが可能である。またスタット１０ａ，１０ａは、照明装置１００の両端部の取付孔２ａ，２ａに対応する間隔で設けられている。
【００６８】
そして、設置部に設けられた支持板１０，１０の４個所のスタット１０ａを照明装置１００の４個所の角部に設けられた取付部材３の貫通孔３１ｂに挿通する。この状態で、ローレットナット１０ｂを取付孔２ａから挿通し、枠部材２内部のスタット１０ａに締結して取り付ける。ローレットナット１０ｂは図４に示すように取付部３１の下面に当接し、該下面側から照明装置１００を支持して設置部に取り付けることができる。
【００６９】
薄い板状の支持板１０と、枠部材２内に設けられ、下面部２３と面一になるローレットナット１０ｂにより照明装置１００を設置部に取り付けることで、設置部への取り付け状態で照明装置１００の外観を薄く見せることが可能となり、また、設置部への取り付けおよび取り外し作業も容易である。
【００７０】
導光板４は角部つまり多角形の頂点に切欠部４１を有しており、出射面４３は厳密には完全な四角形ではない。また、導光板４に重ねて配置される導光板カバー５の底面部５１、スペーサ８、反射板６、および拡散板７も導光板４の切欠部４１と同様の形状の角部８１，６１，７１を有する外形である。しかしながら、切欠部４１を含む出射面４３の周縁部分全体が略四角形状の開口をなす枠部材２の下面部２３により覆われているため、照明装置１００を組み立てた状態では導光板４の光を出射する拡散板７が形成する発光面は略四角形をなしている（図１参照）。
【００７１】
また、取付部材３は枠部材２内の切欠部４１に対向する位置に設けられている。すなわち、四角形の導光板４の角部を切り欠いた形状の切欠部４１を設けることで、導光板４が枠部材２に保持された状態で、枠部材２内部の切欠部４１に対向する位置、つまり枠部材２の角部と切欠部４１の間に空間を形成することができ、この空間に取付部材３および貫通孔３１ｂが配置されている。
【００７２】
切欠部４１により、枠部材２の角部と切欠部４１の間の空間を側面４２と枠板２１との間の空間よりも大きくすることができる。つまり、側面４２と枠板２１の側壁部２４との距離よりも切欠部４１と側壁部２４との距離を長くすることができるので、取付部材３を設けることが可能な空間を枠部材２の角部の内側に形成可能となっている。
【００７３】
従って、従来の照明装置のように、取付部材を配置する空間のために照明装置を大きくする必要がない。あるいは、導光板を小さくして発光面積を狭めることで取付部材を配置する空間を形成する必要がない。したがって、従来の照明装置に比較して、照明装置１００の外形を大きくすることなく、取付部材３を設ける空間を枠部材２内に形成することができる。
【００７４】
また、本発明の照明装置１００は、枠部材２を４本の枠板２１を連結して構成し、隣接する一対の枠板２１の端部の間に介在する取付部材３で一対の枠板２１同士を接合している。つまり、照明装置１００を設置部に取り付ける取付部材３が枠板２１の接合部材としても機能する。つまり２種類の部材の共通化により、上記取付部材と接合部材の配置に必要な空間の低減が可能となる。また、取付部材３を隣接する一対の枠板２１の端部の間に介在させることで、枠部材２の角部の切欠部４１と対向する位置に取付部材３を配置することが可能である。
【００７５】
また、取付部材３の挿入部３２，３２は、導光板４の出射面４３に略垂直をなすように挿入されている。つまり、挿入部３２，３２は枠板２１の側壁部２４に平行に挿入されている。さらに換言すると、挿入部３２，３２の板厚方向は、取付部３１の面方向、あるいは導光板４の出射面４３に略平行である。なお、挿入部３２の板厚方向とは、板状の挿入部３２の厚さ方向、つまり挿入部３２のうち最も短手方向の寸法が短い面である長辺３２ａの短手方向である。
【００７６】
この構成により、挿入部３２を挿入するために必要な、被挿入部２６の照明装置１００の短手方向の幅を低減できる。従って、枠板２１の下面部２３の短手方向の幅を短く構成することができ、照明装置１００の外形を小さくすることができる。あるいは、照明装置１００の外形における枠部材２の下面が占める割合を低減し、発光面の面積の割合を大きくすることができる。
【００７７】
また、枠板２１を取付部材３に固定する固定部材としてのネジ２７を備え、枠板２１は、挿通部としての貫通孔２８を有し、取付部材３は、貫通孔２７に対応する位置に凹部３２ｂを有し、ネジ２７は、凹部３２ｂを枠板２１の長手方向内側に押圧して枠板２１を取付部材３に固定している。これにより、取付部材３により連結される１対の枠板２１，２１の端部同士を互いに密着する方向に押圧して取り付けることができるので、枠板２１，２１同士のガタつきを防止して確実に連結して取り付けることができる。
【００７８】
さらに、取付部材３には、ネジ２７が挿通する貫通孔ではなく、凹部を形成すればよいので、挿入部３２の長辺３２ａのように幅寸法が短いため貫通孔を設けることができない箇所にも凹部３２ｂを形成することで枠板２１を接合することが可能である。すなわち凹部３２ｂは照明装置１００の枠部材２の幅を薄くする効果に寄与している。なお、凹部３２ｂを設ける位置は長辺３２ａに限らず、取付部３１に設けてもよい。
【００７９】
また、導光板カバー５は枠部材２の上面部２２側の開口から着脱可能であるので、枠部材２の下面部２３に載置するだけで容易に枠部材２に保持させることができ、また、枠部材２の枠板２１を分解しなくとも導光板カバー５を取り外すことができるので、容易にメンテナンスを行うこともできる。さらに、上記構成により導光板カバー５と枠部材２との間に隙間を形成することもできる。
【００８０】
（第２の実施形態）
次に、本発明の第２の実施形態について説明する。なお、第１の実施形態と同一の構成については、同一の符号を付し、その詳細な説明は省略する。
【００８１】
図１１は、本実施形態に係る照明装置１１０の下方から見た斜視図である。また、図１２は、図１１の照明装置１１０の上方向から見た枠部材２０および取付部材３０の分解斜視図の要部拡大図である。
【００８２】
図１１に示すように、本実施形態に係る照明装置１１０の外観は、第１の実施形態に係る照明装置１１０と同様のスクウェア型であり、略正方形状をなす。ただし、第２の実施形態では、図１２に示す枠部材２０を構成する枠板２０１と、取付部材３０の形状が第１の実施形態と異なる。詳しくは後述するが、上記相違点により、第２の実施形態の枠部材２０の幅寸法は、第１の実施形態の枠部材２の幅寸法よりも大きくなっている。
【００８３】
図１２に示すように、照明装置１１０は、枠部材２０を構成する長尺の枠板２０１および、一対の枠板２０１，２０１の端部の間に介在し、枠板２０１，２０１を連結する取付部材３０を備える。
【００８４】
枠板２０１は、第１の実施形態の枠板２１と同様に、上面部２０２、下面部２０３、側面部２０４および立設部２０５を有し、側面部２０４と立設部２０５の間には取付部材３０の挿入部３０２が挿入される被挿入部２０６が形成されている。また、下面部２０３の端部には、取付孔２０ａが設けられている。
【００８５】
立設部２０５の上端部２０５ａと上面部２０２との間には、取付部材３０の取付部３０１が通過できるスリット状の隙間が形成されている。また、上面部２０２の中央部には、枠板２０１の長手方向に沿って延びる開口部２０２ａが形成されている。開口部２０２ａは、被挿入部２０６に挿入された挿入部３０２を上面部２０２に固定する不図示のネジ等を挿通するために設けられている。
【００８６】
取付部材３０は、略三角形の板状の取付部３０１と、取付部３０１と同一面上に沿って延設された矩形板状の一対の挿入部３０２，３０２を有する。挿入部３０２は、取付部３０１の略直角をなす角部を挟む２辺に略平行かつ取付部３０１から突出するように取付部３０１と一体的に設けられている。取付部３０１には、貫通孔３０１ａが形成されている。
【００８７】
第１の実施形態の取付部材３と異なり、取付部材３０は、挿入部３０２の板厚方向が取付部３０１の板厚方向と同一、つまり取付部３０１の面方向に直交するように形成されている。つまり、取付部材３０全体としての厚みである取付部３０１に直交する方向の寸法は取付部材３よりも小さくなっている。一方、挿入部３０２の取付部３０１の面方向に平行かつ挿入方向に直交する方向の幅寸法は、取付部材３の挿入部３２よりも大きくなっている。なお、挿入部３０２の板厚方向とは、挿入部３０２の最も幅寸法が小さい面３０２ａの短手方向（幅方向）であり、図１２に示す取付部３０１および下面部２０３に直交する方向である。
【００８８】
従って、図１２に示すように、挿入部３０２は、板厚方向が拡散板７がなす発光面に直交する方向となるように被挿入部２０６に挿入される。これにより、本実施形態の被挿入部２０６の高さ方向の寸法、つまり下面部２０３に垂直な方向の寸法を、第１の実施形態の被挿入部２６に比べて小さくすることが可能となり、照明装置１１０の厚みの低減に寄与する。
【００８９】
なお、第１の実施形態の挿入部３２は、板厚方向が発光面に対し略平行となるように被挿入部２６に挿入され、本実施形態の被挿入部２０６に比べて挿入部２６の幅寸法を小さくすることができるので、第１の実施形態の枠部材２の幅寸法は、第２の実施形態の枠部材２０の幅寸法よりも小さくなっている。従って、第１の実施形態の照明装置１００の方が本実施形態の照明装置１１０に比べ、より照明装置の小型化、あるいは枠部材に対する発光面の面積割合を大きくすることが可能である。
【００９０】
以上説明した実施形態１および２の、照明装置１００および照明装置１１０は、複数の枠板を連結することで枠部材を構成しているが、本発明の枠部材は、１つの一体成型された部材で構成されたものであってもよい。また、複数の枠板を連結して枠部材を構成する場合、照明装置を設置部に取り付ける取付部材とは別の接合部材により複数の枠板を連結するように構成してもよい。
【符号の説明】
【００９１】
２，２０        枠部材
２１，２０１    枠板
２６，２０６    被挿入部
２７            ネジ
２８            貫通孔
３，３０        取付部材
３１，３０１    取付部
３２，３０２    挿入部
３２ａ          長辺
３２ｂ          凹部
４              導光板
４１            切欠部
４２            側面
５              導光板カバー
９              ＬＥＤモジュール
１００，１１０  照明装置
【図１】
2014167850.tif 000003
【図２】
2014167850.tif 000004
【図３】
2014167850.tif 000005
【図４】
2014167850.tif 000006
【図５】
2014167850.tif 000007
【図６】
2014167850.tif 000008
【図７】
2014167850.tif 000009
【図８】
2014167850.tif 000010
【図９】
2014167850.tif 000011
【図１０】
2014167850.tif 000012
【図１１】
2014167850.tif 000013
【図１２】
2014167850.tif 000014